(57)【特許請求の範囲】
【請求項１】
複数種類の送信用のデータを受信すると共に、この送信用のデータに、データの転送先の機器の正当性を確認するための認証処理を必要とする特定のデータが含まれている場合に、前記特定のデータが含まれることを判別するために用いられる判別データを受信する受信手段と、
この受信手段によって受信した判別データに基づいて、前記送信用のデータに前記特定のデータが含まれているか否かを判別する判別手段と、
前記判別手段によって前記特定のデータが含まれていると判別された場合に、前記転送先の機器との間で認証処理を行い、前記転送先の機器が前記特定のデータのダウンロードを行ってもいい正当な機器であるか否かを判断する判断手段と、
前記判断手段によって正当な機器であると認証された場合に、前記転送先の機器に前記特定のデータを転送する手段と
を備えたことを特徴とするデータ受信装置。
【請求項２】
前記特定のデータは、複数種類の他の送信用のデータと共に多重化されて送信されたものであり、
前記判別データは、多重化されたデータ中における特定のデータと特定のデータ毎の識別情報との対応関係を表す情報に付加されるものである
ことを特徴とする請求項１記載のデータ受信装置。
【請求項３】
前記特定のデータは、所定の圧縮方式で圧縮された圧縮データであり、
前記転送先の機器は、前記特定のデータを圧縮されたままの状態で記録可能である
ことを特徴とする請求項１記載のデータ受信装置。
【請求項４】
複数種類の送信用のデータを受信すると共に、この送信用のデータに、データの転送先の機器の正当性を確認するための認証処理を必要とする特定のデータが含まれている場合に、前記特定のデータが含まれることを判別するために用いられる判別データを受信し、
これらの受信した判別データに基づいて、前記送信用のデータに前記特定のデータが含まれているか否かを判別し、
前記特定のデータが含まれていると判別された場合に、前記転送先の機器との間で認証処理を行い、前記転送先の機器が前記特定のデータのダウンロードを行ってもいい正当な機器であるか否かを判断し、
正当な機器であると認証された場合に、前記転送先の機器に前記特定のデータを転送する
ことを特徴とするデータ受信方法。
【請求項５】
前記特定のデータは、複数種類の他の送信用のデータと共に多重化されて送信されたものであり、
前記判別データは、多重化されたデータ中における特定のデータと特定のデータ毎の識別情報との対応関係を表す情報に付加されるものである
ことを特徴とする請求項４記載のデータ受信方法。
【請求項６】
前記特定のデータは、所定の圧縮方式で圧縮された圧縮データであり、
前記転送先の機器は、前記特定のデータを圧縮されたままの状態で記録可能である
ことを特徴とする請求項４記載のデータ受信方法。
【請求項７】
複数種類の送信用のデータを生成すると共に、この送信用のデータに、送信先においてデータの転送先の機器の正当性を確認するための認証処理を必要とする特定のデータが含まれている場合に、前記特定のデータが含まれることを判別するために用いられる判別データを生成するデータ生成手段と、このデータ生成手段によって生成されたデータを送信する送信手段とを有するデータ送信装置と、
前記データ送信装置の送信手段から送信されたデータを受信する受信手段と、この受信手段によって受信したデータに含まれる判別データに基づいて、前記送信用のデータに前記特定のデータが含まれているか否かを判別する判別手段と、前記判別手段によって前記特定のデータが含まれていると判別された場合に、前記転送先の機器との間で認証処理を行い、前記転送先の機器が前記特定のデータのダウンロードを行ってもいい正当な機器であるか否かを判断する判断手段と、前記判断手段によって正当な機器であると認証された場合に、前記転送先の機器に前記特定のデータを転送する手段とを有するデータ受信装置と
を備えたことを特徴とするデータ送受信システム。
【請求項８】
前記特定のデータは、複数種類の他の送信用のデータと共に多重化されて送信されたものであり、
前記判別データは、多重化されたデータ中における特定のデータと特定のデータ毎の識別情報との対応関係を表す情報に付加されたものである
ことを特徴とする請求項７記載のデータ送受信システム。
【請求項９】
前記特定のデータは、所定の圧縮方式で圧縮された圧縮データであり、
前記転送先の機器は、前記特定のデータを圧縮されたままの状態で記録可能である
ことを特徴とする請求項７記載のデータ送受信システム。
【請求項１０】
複数種類の送信用のデータを生成すると共に、この送信用のデータに、送信先においてデータの転送先の機器の正当性を確認するための認証処理を必要とする特定のデータが含まれている場合に、前記特定のデータが含まれることを判別するために用いられる判別データを生成し、
これらの生成されたデータを送信し、
送信されたデータを受信し、
受信したデータに含まれる判別データに基づいて、前記送信用のデータに前記特定のデータが含まれているか否かを判別し、
前記特定のデータが含まれていると判別された場合に、前記転送先の機器との間で認証処理を行い、前記転送先の機器が前記特定のデータのダウンロードを行ってもいい正当な機器であるか否かを判断し、
正当な機器であると認証された場合に、前記転送先の機器に前記特定のデータを転送する
ことを特徴とするデータ送受信方法。
【請求項１１】
前記特定のデータは、複数種類の他の送信用のデータと共に多重化されて送信されたものであり、
前記判別データは、多重化されたデータ中における特定のデータと特定のデータ毎の識別情報との対応関係を表す情報に付加されるものである
ことを特徴とする請求項１０記載のデータ送受信方法。
【請求項１２】
前記特定のデータは、所定の圧縮方式で圧縮された圧縮データであり、
前記転送先の機器は、前記特定のデータを圧縮されたままの状態で記録可能である
ことを特徴とする請求項１０記載のデータ送受信方法。
【発明の詳細な説明】
【０００１】
【発明の属する技術分野】
本発明は、データの送受信に用いられるデータ受信装置および方法ならびにデータ送受信システムおよび方法に関する。
【０００２】
【従来の技術】
近年、音声や画像データの伝送、記録にデジタル信号を使用することが多くなってきている。例えば、デジタル衛星放送では、デジタル信号を圧縮して衛星を使って伝送することが行われている。このデジタル衛星放送では、既存のアナログ放送に比べて、ノイズやフェージングに強く、高品質の信号を伝送することが可能である。また、近年では、光ディスクや光磁気ディスク等に代表されるように、デジタル信号を記録可能な記録媒体も多く開発されている。これにより、例えば、前述のデジタル衛星放送で伝送されたデジタル信号を一般家庭においてデジタル記録することも可能となってきている。また、光ディスク等のデジタルデータの記録メディアから再生されたデジタル信号を、バス等を介してデジタル記録することも可能となってきている。
【０００３】
ところで、デジタル信号は、信号を伝送する際に信号劣化がほとんど生じないため、データの複製をオリジナルとほぼ同等の品質で行うことが可能となる。このため、データの複製が違法に行われ易く、著作権の保護がなされなくなる虞がある。
【０００４】
そこで、従来から、デジタルデータの保護を図るための方法が提案されている。例えば、伝送するデータ中に、データの複製を禁止するフラグを含める方法がある。これは、データの送信側においては、複製が禁止されるべきデータを伝送する場合に、複製を禁止するフラグを立ててデータを伝送すると共に、受信側の記録装置においては、フラグの有無に応じてデータの記録を禁止するような装置制御を行うものである。なお、この場合、例えば、データの１回目の複製時には複製禁止のフラグは立てず、例えば、データを複製した記録媒体を更に別の記録媒体に複製するような場合にフラグが立てられる。これにより、１回のみの複製は可能であるが、その複製した記録媒体を元にした２世代以降ではデータの複製はできなくなる。
【０００５】
【発明が解決しようとする課題】
しかしながら、上述のようにデータにフラグを含める方法では、受信側の記録装置がフラグに対する処理に対応したものでなければ、十分にデータの保護を図ることはできないという問題がある。
【０００６】
ところで、一般に市販されているデジタルデータの記録メディアでは、データを所定の圧縮方式により圧縮して記録する方式が採られている。このような記録メディアに記録されたデジタル信号を、バス等を介して別の記録媒体にデジタル記録する場合には、通常、データの送信側で圧縮データを一度復号して非圧縮化したデータにし、データの受信側で再び圧縮してデジタル記録が行われる。このように、何度かデータの圧縮を繰り返すと、そのデータを圧縮する機器の性能によってはデータの劣化が起きる可能性がある。
【０００７】
しかしながら、近年では、伝送されてきた圧縮データを復号、圧縮処理することなく、そのままの状態で記録媒体にデジタル記録するような方式が提案されている。この方式の場合には、記録側においてデータの圧縮処理を施す必要がないため、データの記録の際に事実上信号劣化がほとんど生じない。従って、このような方式に関しては、特に、著作権の保護を図る必要がある。
【０００８】
本発明はかかる問題点に鑑みてなされたもので、その目的は、特定のデータについての不当な転送に対するデータの保護を図ることが可能なデータ受信装置および方法ならびにデータ送受信システムおよび方法を提供することにある。
【００１２】
本発明によるデータ受信装置は、複数種類の送信用のデータを受信すると共に、この送信用のデータに、データの転送先の機器の正当性を確認するための認証処理を必要とする特定のデータが含まれている場合に、特定のデータが含まれることを判別するために用いられる判別データを受信する受信手段と、この受信手段によって受信した判別データに基づいて、送信用のデータに特定のデータが含まれているか否かを判別する判別手段と、判別手段によって特定のデータが含まれていると判別された場合に、転送先の機器との間で認証処理を行い、転送先の機器が特定のデータのダウンロードを行ってもいい正当な機器であるか否かを判断する判断手段と、判断手段によって正当な機器であると認証された場合に、転送先の機器に特定のデータを転送する手段とを備えたものである。
【００１３】
本発明によるデータ受信方法は、複数種類の送信用のデータを受信すると共に、この送信用のデータに、データの転送先の機器の正当性を確認するための認証処理を必要とする特定のデータが含まれている場合に、特定のデータが含まれることを判別するために用いられる判別データを受信し、これらの受信した判別データに基づいて、送信用のデータに特定のデータが含まれているか否かを判別し、特定のデータが含まれていると判別された場合に、転送先の機器との間で認証処理を行い、転送先の機器が特定のデータのダウンロードを行ってもいい正当な機器であるか否かを判断し、正当な機器であると認証された場合に、転送先の機器に特定のデータを転送するようにしたものである。
【００１４】
本発明によるデータ受信装置および方法では、複数種類の送信用のデータが受信されると共に、この送信用のデータに、データの転送先の機器の正当性を確認するための認証処理を必要とする特定のデータが含まれている場合に、特定のデータが含まれることを判別するために用いられる判別データが受信され、これらの受信した判別データに基づいて、送信用のデータに特定のデータが含まれているか否かが判別される。
【００１５】
本発明によるデータ送受信システムは、複数種類の送信用のデータを生成すると共に、この送信用のデータに、送信先においてデータの転送先の機器の正当性を確認するための認証処理を必要とする特定のデータが含まれている場合に、特定のデータが含まれることを判別するために用いられる判別データを生成するデータ生成手段と、このデータ生成手段によって生成されたデータを送信する送信手段とを有するデータ送信装置と、データ送信装置の送信手段から送信されたデータを受信する受信手段と、この受信手段によって受信したデータに含まれる判別データに基づいて、送信用のデータに特定のデータが含まれているか否かを判別する判別手段と、判別手段によって特定のデータが含まれていると判別された場合に、転送先の機器との間で認証処理を行い、転送先の機器が特定のデータのダウンロードを行ってもいい正当な機器であるか否かを判断する判断手段と、判断手段によって正当な機器であると認証された場合に、転送先の機器に特定のデータを転送する手段とを有するデータ受信装置とを備えたものである。
【００１６】
本発明によるデータ送受信方法は、複数種類の送信用のデータを生成すると共に、この送信用のデータに、送信先においてデータの転送先の機器の正当性を確認するための認証処理を必要とする特定のデータが含まれている場合に、特定のデータが含まれることを判別するために用いられる判別データを生成し、これらの生成されたデータを送信し、送信されたデータを受信し、受信したデータに含まれる判別データに基づいて、送信用のデータに特定のデータが含まれているか否かを判別し、特定のデータが含まれていると判別された場合に、転送先の機器との間で認証処理を行い、転送先の機器が特定のデータのダウンロードを行ってもいい正当な機器であるか否かを判断し、正当な機器であると認証された場合に、転送先の機器に特定のデータを転送するようにしたものである。
【００１７】
本発明によるデータ送受信システムおよび方法では、複数種類の送信用のデータが生成されると共に、この送信用のデータに、送信先においてデータの転送先の機器の正当性を確認するための認証処理を必要とする特定のデータが含まれている場合に、特定のデータが含まれることを判別するために用いられる判別データが生成され、これらの生成されたデータが送信され、送信されたデータが受信され、受信したデータに含まれる判別データに基づいて、送信用のデータに特定のデータが含まれているか否かが判別される。
【００１８】
【発明の実施の形態】
以下、本発明の実施の形態について図面を参照して詳細に説明する。
【００１９】
本発明が適用されるシステムは、デジタル衛星放送を使用して音楽番組を放送すると共に、この音楽番組と関連するオーディオデータを配信することにより、視聴者が音楽番組を試聴できるようにし、更に、試聴して気に入った楽曲があった場合に、その場でその楽曲を簡単に購入できるようにしたものである。
【００２０】
図１は、本発明が適用されるデータ送受信システムとしての音楽コンテンツ配信システムの全体構成を示したものである。この音楽コンテンツ配信システムは、各種の信号を多重化して、衛星２に対して送信するデジタル衛星放送用の地上局１と、この地上局１に接続された課金サーバ５、テレビジョン番組（以下、テレビ番組またはＴＶ番組と記す。）素材サーバ６、楽曲素材サーバ７、音声付加情報サーバ８、グラフィカルユーザインタフェース（Graphical User Interface；以下、ＧＵＩと記す。）データサーバ９およびキー情報サーバ１０を備えている。衛星２は、地上局１から送られてきた信号を地上に向けて送信するようになっている。衛星２には、複数のトランスポンダが搭載されている。１つのトランスポンダは、例えば３０Ｍｂｐｓの伝送能力を有している。
【００２１】
音楽コンテンツ配信システムは、更に、地上局１から送信された信号を衛星２を介して受信するための、例えば各家庭毎の受信設備３を備えている。受信設備３は、衛星２からの信号を受信するためのパラボラアンテナ１１と、このパラボラアンテナ１１で受信した信号を、所定の周波数の信号に変換するコンバータであるローノイズブロックダウンコンバータ（Low Noise Block Downconverter ；以下、ＬＮＢと記す。）１５と、このＬＮＢ１５の出力信号を入力する受信機としてのインテグレイテッドレシーバ・デコーダ（Integrated Receiver Decoder ；以下、ＩＲＤと記す。）１２と、このＩＲＤ１２に接続されたストレージデバイス１３およびテレビジョン受像機１４とを有している。ＩＲＤ１２は、例えば電話回線４を介して、課金サーバ５に接続されるようになっている。
【００２２】
なお、ここで、地上局１が、本発明におけるデータ生成手段、送信手段および送信装置に対応し、受信設備３が、本発明における受信手段および受信装置に対応する。また、ＩＲＤ１２が、本発明における判別手段に対応する。
【００２３】
このように構成された音楽コンテンツ配信システムでは、デジタル衛星放送の地上局１には、テレビ番組素材サーバ６からのテレビ番組放送の素材と、楽曲素材サーバ７からの楽曲データの素材と、音声付加情報サーバ８からの音声付加情報と、ＧＵＩデータサーバ９からのＧＵＩデータとが送られる。
【００２４】
テレビ番組素材サーバ６は、通常の音楽放送番組の素材を提供するサーバである。このテレビ番組素材サーバ６から送られてくる音楽放送の素材は、動画および音声である。通常の音楽放送番組では、例えば、新曲紹介のプロモーション用の動画と音声が放送されたり、最新のヒット曲のカウントダウンが放送されたりする。
【００２５】
楽曲素材サーバ７は、オーディオチャンネルを使用して、オーディオ番組を提供するサーバである。このオーディオ番組の素材は音声のみである。この楽曲素材サーバ７は、複数のオーディオチャンネルのオーディオ番組の素材を地上局１へ送る。各オーディオチャンネルの番組放送では、それぞれ、同一の楽曲が所定の単位時間で繰り返して放送される。各オーディオチャンネルは、それぞれ、独立しており、その利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、更に他のオーディオチャンネルでは、ジャズの中から推薦曲を所定時間繰り返して放送してもよい。また、同じアーティストの複数の楽曲をそれぞれのオーディオチャンネルに分けて繰り返して放送してもよい。
【００２６】
音声付加情報サーバ８は、音声付加情報を提供するものである。この音声付加情報は、楽曲素材サーバ７から出力される楽曲の時間情報、具体的には、楽曲の全演奏時間と楽曲の演奏開始時からの経過時間の情報である。
【００２７】
ＧＵＩデータサーバ９は、配信される楽曲のリストページや各楽曲の情報ページの画面を形成するためのデータ、ジャケットの静止画データを形成するためのデータ、配信される楽曲の歌詞のデータ、電子プログラムガイド（Electric Program Guide；以下、ＥＰＧと記す。）用の画面を形成するためのデータ等を提供するものである。詳細は後で説明するように、本発明が適用されるシステムでは、画面上のＧＵＩの操作により、配信される楽曲の歌詞やアーティストのコンサート情報等を画面に表示させることができる。また、画面上のＧＵＩの操作により、楽曲の選択、ダウンロードおよびその予約等を行うことができる。ＧＵＩデータサーバ９からは、そのためのデータが送られる。なお、このＧＵＩデータには例えばＭＨＥＧ（Multimedia and Hypermedia Information Coding Experts Group）方式が用いられる。
【００２８】
地上局１は、前述した、テレビ番組素材サーバ６からの音楽番組放送の素材となるビデオデータおよびオーディオデータと、楽曲素材サーバ７からのオーディオチャンネルの素材となるオーディオデータと、音声付加情報サーバ８からの音声付加情報と、ＧＵＩデータサーバ９からのＧＵＩデータとを多重化して送信する。このとき、テレビ番組放送のビデオデータは、例えばＭＰＥＧ（Moving Picture Experts Group）２方式により圧縮され、テレビ番組放送のオーディオデータは、ＭＰＥＧ２オーディオ方式により圧縮される。各オーディオチャンネルのオーディオデータは、２つの異なる方式、例えばＭＰＥＧ２オーディオ方式とＡＴＲＡＣ（Adaptive Transform Acoustic Coding）方式により圧縮される。また、これらのデータは、多重化の際、キー情報サーバ１０からのキー情報を用いて暗号化される。
【００２９】
地上局１からの信号は、衛星２を介して、例えば各家庭の受信設備３のパラボラアンテナ１１で受信される。この受信信号は、ＬＮＢ１５で所定の周波数に変換されて、ＩＲＤ１２に供給される。
【００３０】
ＩＲＤ１２は、受信信号から所定のチャンネルの信号を選択し、ビデオデータおよびオーディオデータの復調を行うものである。また、ＩＲＤ１２は、配信される楽曲のリストページや、各楽曲の情報ページや、ＥＰＧ用の画面を形成する。ＩＲＤ１２の出力信号は、テレビジョン受像機１４に供給される。
【００３１】
ストレージデバイス１３は、ダウンロードされたオーディオデータを保存するためのものである。例えば、ストレージデバイス１３としては、ＭＤ（ミニディスク）レコーダ・プレーヤ、ＤＡＴ（デジタルオーディオテープ）レコーダ・プレーヤ、ＤＶＤ（デジタルビデオディスクまたはデジタルヴァーサタイルディスク）レコーダ・プレーヤ等を用いることができる。また、ストレージデバイス１３としてパーソナルコンピュータを用い、そのハードディスクやＣＤ−Ｒ（書き込み可能なコンパクトディスク）にオーディオデータを保存することも可能である。
【００３２】
ＩＲＤ１２は、例えば電話回線４を介して、課金サーバ５に接続される。ＩＲＤ１２には、各種情報が記憶されるＩＣカードが挿入されるようになっている。楽曲のオーディオデータのダウンロードが行われると、その情報がＩＣカードに記憶される。このＩＣカードの情報は、例えば電話回線４を介して、課金サーバ５に送られる。課金サーバ５は、このダウンロード情報に基づいて、適切な課金を行い、視聴者に請求する。このように、適切な課金を行うことにより、ダウンロードされる楽曲の著作権を保護することができる。
【００３３】
このように、本発明が適用されるシステムでは、地上局１は、テレビ番組素材サーバ６からの音楽番組放送の素材となるビデオデータおよびオーディオデータと、楽曲素材サーバ７からのオーディオチャンネルの素材となるオーディオデータと、音声付加情報サーバ８からの音声付加情報データと、ＧＵＩデータサーバ９からのＧＵＩデータとを多重化して送信している。そして、各家庭の受信設備３でこの放送を受信すると、音楽番組が見られる他、送られてきたＧＵＩデータに基づいてＧＵＩ画面が表示される。視聴者は、このＧＵＩ画面を見ながら必要な操作を行うと、各楽曲についての情報ページを見ることができ、また、各楽曲についての試聴を行うことができる。視聴者は、更に、ＧＵＩ画面を見ながら必要な操作を行うことで、所望の楽曲のオーディオデータをダウンロードして、ストレージデバイス１３に記憶させることができる。
【００３４】
次に、受信設備３における視聴者の操作について、更に詳細に説明する。
【００３５】
各家庭の受信設備３で、前述の音楽番組放送を受信すると、テレビジョン受像機１４に、図２に示すようなＧＵＩ画面が表示される。この画面の左上部のテレビ番組表示エリア２１Ａには、テレビ番組素材サーバ６から提供された音楽番組に基づく動画像が表示される。画面の右上部には、オーディオチャンネルで放送されている各チャンネルの楽曲のリスト２１Ｂが表示される。また、画面の左下にはテキスト表示エリア２１Ｃとジャケット表示エリア２１Ｄが設定される。更に、画面の右側には、歌詞表示ボタン２２、プロフィール表示ボタン２３、情報表示ボタン２４、予約録音ボタン２５、予約済一覧表示ボタン２６、録音履歴表示ボタン２７およびダウンロードボタン２８が表示される。
【００３６】
視聴者は、リスト２１Ｂに表示されている楽曲名を見ながら、興味のある楽曲を探していく。そして、興味のある楽曲を見つけたら、リモートコマンダの矢印キーを操作してその楽曲にカーソルを合わせた後、ＩＲＤ１２に付属するリモートコマンダのエンターキーを押す。これによって、カーソルを合わせた楽曲を試聴することができる。すなわち、各オーディオチャンネルでは、所定の単位時間中、同一の楽曲が繰り返し放送されているので、テレビ番組表示エリア２１Ａの画面はそのままで、その楽曲のオーディオチャンネルに切り換えられ、その楽曲を聞くことができる。このとき、ジャケット表示エリア２１Ｄには、その楽曲のＭＤジャケットの静止画像が表示される。
【００３７】
この状態で歌詞表示ボタン２２にカーソルを合わせ、エンターキーを押す（以下、ボタンにカーソルを合わせ、エンターキーを押す操作をボタンを押すという）と、テキスト表示エリア２１Ｃに、楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このように、視聴者は、現在どのような楽曲が配信されているのかを知ることができ、各楽曲についての詳細な情報を知ることができる。
【００３８】
視聴者は、試聴した楽曲を購入したい場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。楽曲がダウンロードされる毎に、その情報がＩＲＤ１２内のＩＣカードに記憶される。ＩＣカードに記憶された情報は、例えば１カ月に一度ずつ課金サーバ５に吸い上げられる。これによって、ダウンロードされる楽曲の著作権を保護することができる。
【００３９】
また、視聴者は、予めダウンロードの予約を行いたい場合には、予約録音ボタン２５を押す。このボタン２５を押すと、ＧＵＩ画面が切り換わり、予約が可能な楽曲のリストが画面全体に表示される。このリストは、１時間単位、１週間単位、ジャンル単位等で検索した楽曲を表示することが可能である。視聴者は、このリストの中からダウンロードの予約を行いたい楽曲を選択すると、その情報がＩＲＤ１２内に登録される。また、既にダウンロードの予約を行った楽曲を確認したい場合には、予約済一覧表示ボタン２６を押すことにより、予約済の楽曲のリストを画面全体に表示させることができる。このようにして予約された楽曲は、予約時刻になるとＩＲＤ１２によりダウンロードされ、ストレージデバイス１３に記憶される。
【００４０】
視聴者は、ダウンロードを行った楽曲について確認したい場合には、録音履歴ボタン２７を押すことにより、既にダウンロードを行った楽曲のリストを画面全体に表示させることができる。
【００４１】
このように、本発明が適用されるシステムにおける受信設備３では、テレビジョン受像機１４のＧＵＩ画面上に楽曲のリストが表示される。そして、視聴者は、このＧＵＩ画面上の表示に従って楽曲を選択すると、その楽曲を試聴することができ、更に、その楽曲の歌詞やアーティストのプロフィール等を知ることができる。視聴者は、更に、ＧＵＩ画面を用いて、楽曲のダウンロードとその予約、ダウンロードの履歴や予約済楽曲リストの表示等を行うこともできる。
【００４２】
以上説明したように、本発明が適用される音楽コンテンツ配信システムでは、音楽放送番組が配信されると共に、複数のオーディオチャンネルを使用して楽曲のオーディオデータが配信される。そして、配信されている楽曲のリスト等を使用して所望の楽曲を探し、そのオーディオデータをストレージデバイス１３に簡単に保存することができる。以下、このようなシステムについて、更に詳述する。
【００４３】
図３は本発明が適用される音楽コンテンツ配信システムにおける地上局１の構成の一例を示したものである。
【００４４】
この地上局１は、テレビ番組素材サーバ６からの素材データを登録するためのテレビ番組素材登録システム３１と、楽曲素材サーバ７からのオーディオデータを登録するための楽曲素材登録システム３２と、音声付加情報サーバ８からの音声付加情報を登録するための音声付加情報登録システム３３と、ＧＵＩデータサーバ９からのＧＵＩデータを登録するためのＧＵＩ用素材登録システム３４とを備えている。
【００４５】
地上局１は、更に、テレビ番組素材登録システム３１からの素材データを保持するＡＶ（オーディオ・ビデオ）サーバ３５と、このＡＶサーバ３５によって保持された素材データを、圧縮し、パケット化して送出するテレビ番組送出システム３９とを備えている。
【００４６】
地上局１は、更に、楽曲素材登録システム３２からのオーディオデータをＭＰＥＧ２オーディオ方式でエンコードするＭＰＥＧ２オーディオエンコーダ３６Ａと、このＭＰＥＧ２オーディオエンコーダ３６Ａによってエンコーダされて得られるＭＰＥＧオーディオデータを保持するＭＰＥＧオーディオサーバ４０Ａと、このＭＰＥＧオーディオサーバ４０Ａによって保持されたＭＰＥＧオーディオデータを、パケット化して送出するＭＰＥＧオーディオ送出システム４３Ａとを備えている。
【００４７】
地上局１は、更に、楽曲素材登録システム３２からのオーディオデータをＡＴＲＡＣ方式でエンコードするＡＴＲＡＣエンコーダ３６Ｂと、このＡＴＲＡＣエンコーダ３６Ｂによってエンコーダされて得られるＡＴＲＡＣデータを保持するＡＴＲＡＣオーディオサーバ４０Ｂと、このＡＴＲＡＣオーディオサーバ４０Ｂによって保持されたＡＴＲＡＣデータを、パケット化して送出するＡＴＲＡＣオーディオ送出システム４３Ｂとを備えている。
【００４８】
地上局１は、更に、音声付加情報登録システム３３からの音声付加情報を保持する音声付加情報データベース３７と、この音声付加情報データベース３７によって保持された音声付加情報を、パケット化して送出する音声付加情報送出システム４１とを備えている。
【００４９】
地上局１は、更に、ＧＵＩ用素材登録システム３４からのＧＵＩデータを保持するＧＵＩ素材データベース３８と、このＧＵＩ素材データベース３８によって保持されたＧＵＩデータを処理し、パケット化して送出するＧＵＩオーサリングシステム４２とを備えている。
【００５０】
地上局１は、更に、各システム３９，４３Ａ，４３Ｂ，４１，４２からの各データおよび情報を、時間軸多重化（時分割多重化）すると共に、キー情報サーバ１０（図１）からのキー情報を用いて暗号化するマルチプレクサ４４と、このマルチプレクサ４４の出力に対して所定の処理を施した後、図示しないアンテナから衛星２に向けて送信する電波送出システム４５とを備えている。
【００５１】
このように構成された地上局１では、テレビ番組素材登録システム３１からの素材データはＡＶサーバ３５に登録される。この素材データはビデオデータとオーディオデータである。ＡＶサーバ３５に登録された素材データは、テレビ番組送出システム３９に送られ、ここでビデオデータは例えばＭＰＥＧ２方式で圧縮され、オーディオデータは例えばＭＰＥＧ２オーディオ方式により圧縮され、それぞれパケット化される。テレビ番組送出システム３９の出力は、マルチプレクサ４４に送られる。
【００５２】
また、楽曲素材登録システム３２からのオーディオデータは、ＭＰＥＧ２オーディオエンコーダ３６ＡおよびＡＴＲＡＣエンコーダ３６Ｂに供給され、各々エンコードされた後、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出システム４３Ａに送られ、ここでパケット化された後、マルチプレクサ４４に送られる。ＡＴＲＡＣオーディオサーバ４０Ｂに登録されたＡＴＲＡＣデータは、ＡＴＲＡＣオーディオ送出システム４３Ｂに４倍速ＡＴＲＡＣデータとして送られ、ここでパケット化された後、マルチプレクサ４４に送られる。
【００５３】
更に、音声付加情報登録システム３３からの音声付加情報は、音声付加情報データベース３７に登録される。音声付加情報データベース３７に登録された音声付加情報は、音声付加情報送出システム４１に送られ、ここでパケット化された後、マルチプレクサ４４に送られる。
【００５４】
また、ＧＵＩ用素材登録システム３４からのＧＵＩデータは、ＧＵＩ素材データベース３８に登録される。ＧＵＩ素材データベース３８に登録されたＧＵＩデータは、ＧＵＩオーサリングシステム４２に送られ、ここでＧＵＩ用の画面のデータが処理され、パケット化された後、マルチプレクサ４４に送られる。ここで、ＧＵＩデータには、ジャケットの静止画情報、楽曲の歌詞情報、アーティストのコンサート情報等が含まれる。ここで、静止画情報は、例えばＪＰＥＧ(Joint Photographic Experts Group)方式で圧縮された６４０×４８０ピクセルの画像データとされ、歌詞情報は例えば８００文字以内のテキストデータとされて、それぞれパケット化される。
【００５５】
マルチプレクサ４４では、テレビ番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）からのキー情報を用いて暗号化される。
【００５６】
マルチプレクサ４４の出力は、電波送出システム４５に送られ、ここで誤り訂正符号の付加、変調および周波数変換等の処理を施された後、図示しないアンテナから衛星２に向けて送信される。
【００５７】
図４は、地上局１から送信されるデータの一例を示したものである。なお、この図に示す各データは、実際には時間軸多重化されている。図４に示したように、時刻ｔ1 から時刻ｔ2 の間が１つのイベントとされ、時刻ｔ２から次のイベントとされる。イベントとは、楽曲のラインナップを変える単位であって、３０分または１時間を単位とするのが普通である。例えば、最新ヒット曲のトップ２０の２０位から１１位を先のイベントで放送し、１０位から１位を後のイベントで放送すること等が考えられる。
【００５８】
図４に示したように、時刻ｔ1 から時刻ｔ2 のイベントでは、通常の動画の番組放送で、所定の内容Ａ１を有する音楽番組が放送されている。また、時刻ｔ2から始まるイベントでは、所定の内容Ａ２を有する音楽番組が放送されている。この通常の音楽番組で放送されているのは、動画と音声である。
【００５９】
オーディオチャンネルは、例えば、チャネルＣＨ１からＣＨ１０の１０チャンネル分用意される。このとき、各オーディオチャンネルＣＨ１、ＣＨ２、ＣＨ３、・・・ＣＨ１０では、１つのイベントの間、同一の楽曲が繰り返して送信される。すなわち、時刻ｔ1 から時刻ｔ2 のイベントでは、オーディオチャンネルＣＨ１では、楽曲Ｂ１が繰り返して送信され、オーディオチャンネルＣＨ２では楽曲Ｃ１が繰り返して送信され、以下、同様にオーディオチャンネルＣＨ１０では楽曲Ｋ１が繰り返して送信される。時刻ｔ２から始まるイベントでは、オーディオチャンネルＣＨ１では、楽曲Ｂ２が繰り返して送信され、オーディオチャンネルＣＨ２では楽曲Ｃ２が繰り返して送信され、以下、同様にオーディオチャンネルＣＨ１０では楽曲Ｋ２が繰り返して送信される。これは、ＭＰＥＧオーディオチャンネルおよび４倍速ＡＴＲＡＣオーディオチャンネルに共通である。
【００６０】
つまり、図４において、ＭＰＥＧオーディオチャンネルと４倍速ＡＴＲＡＣオーディオチャンネルのチャンネル番号である（  ）内の数字が同じものは同じ楽曲に関するものである。また、音声付加情報のチャンネル番号である（  ）内の数字は、同じチャンネル番号を有するオーディオデータに付加されている音声付加情報である。更に、ＧＵＩデータとして伝送される静止画データやテキストデータも各チャンネル毎に形成される。
【００６１】
図５は、図４に示したような各種のデータの伝送の方法と再構築の方法を示したものである。図５（ａ）〜（ｄ）に示したように、各種のデータは、ＭＰＥＧ２のトランスポートパケットによって時分割多重化されて送信される。各トランスポートパケットは、ヘッダを有し、このヘッダ内に、パケットの種類を表す情報が記述される。ＩＲＤ１２内では、各パケットのヘッダ内のパケットの種類を表す情報を用いて、図５（ｅ）〜（ｈ）に示したように、各データを再構築する。
【００６２】
次に、各家庭の受信設備３について説明する。図１に示したように、各家庭の受信設備としてはパラボラアンテナ１１と、ＩＲＤ１２と、ストレージデバイス１３と、テレビジョン受像機１４とが用意される。
【００６３】
ここでは、ＩＲＤ１２は、図６（ａ）に示したように、アナログオーディオ出力端子Ａｏｕｔと、光ケーブルでオーディオデータを送るＩＥＣ９５８等のデジタルオーディオ出力端子Ｄｏｕｔと、ＩＥＥＥ１３９４等のデジタルインタフェース端子Ｄｉｆとを備えているものとする。従って、ストレージデバイス１３としては、図６（ｂ）に示したように、アナログオーディオ入力端子Ａｉｎしか備えていないもの、図６（ｃ）に示したように、ＩＥＣ９５８等のＰＣＭオーディオ入力端子Ｄｉｎを備えているもの、図６（ｄ）に示したように、ＩＥＥＥ１３９４等の双方向デジタルインタフェース端子Ｄｉｆを備えているものを接続することができる。
【００６４】
図６（ｂ）に示したように、ストレージデバイスとしてアナログオーディオ入力端子Ａｉｎしか備えていないストレージデバイス１３Ａが用いられた場合には、ＩＲＤ１２のアナログ出力端子Ａｏｕｔと、ストレージデバイス１３Ａのアナログ入力端子Ａｉｎとがアナログケーブル１６Ａにより接続される。
【００６５】
また、図６（ｃ）に示したように、ストレージデバイスとしてＩＥＣ９５８等のＰＣＭオーディオ入力端子Ｄｉｎを備えているストレージデバイス１３Ｂが用いられた場合には、ＩＲＤ１２のデジタル出力端子Ｄｏｕｔとストレージデバイス１３Ｂのデジタル入力端子Ｄｉｎとの間が例えばＩＥＣ９５８の光ファイバケーブル１６Ｂで接続される。
【００６６】
また、図６（ｄ）に示したように、ストレージデバイスとしてＩＥＥＥ１３９４等の双方向デジタルインタフェース端子Ｄｉｆを備えているストレージデバイス１３Ｃが用いられた場合には、ＩＲＤ１２のデジタルインタフェース端子Ｄｉｆとストレージデバイス１３Ｃのデジタルインタフェース端子Ｄｉｆとの間が、ＩＥＥＥ１３９４のデジタルインタフェースケーブル（以下、ＩＥＥＥ１３９４バスという。）１６Ｃで接続される。
【００６７】
図６（ｂ）に示したように、ストレージデバイスとしてデジタル入力端子を有していないものを用いた場合には、ダウンロードされたＭＰＥＧオーディオデータは、ＩＲＤ１２内でＭＰＥＧ２のデコード処理を施され、更にデジタル−アナログ変換されて、アナログのオーディオ出力端子Ａｏｕｔから出力される。そして、ＩＲＤ１２からアナログケーブル１６Ａを介してストレージデバイス１３Ａに送られる。なお、この場合、ＩＲＤ１２とストレージデバイス１３Ａとの間に、赤外線等の無線通信、あるいはケーブルによる有線通信を用いて制御信号のやり取りを行い、接続関係の確認やダウンロード動作の確認を行うように構成することも可能である。
【００６８】
図６（ｃ）に示したように、ストレージデバイスとしてＰＣＭオーディオ入力端子Ｄｉｎを備えているストレージデバイス１３Ｂが用いられた場合には、ダウンロードされたＭＰＥＧオーディオデータは、ＩＲＤ１２内でＭＰＥＧ２のデコード処理が施され、ＩＲＤ１２からＰＣＭオーディオデータで出力される。そして、ＩＲＤ１２から、例えばＩＥＣ９５８の光ケーブルケーブル１６Ｂを介してストレージデバイス１３Ｂに送られる。この場合も、ＩＲＤ１２とストレージデバイス１３Ａとの間に、赤外線等の無線通信、あるいはケーブルによる有線通信を用いて制御信号のやり取りを行い、接続関係の確認やダウンロード動作の確認を行うように構成することも可能である。
【００６９】
図６（ｄ）に示した場合の具体例として、ＩＥＥＥ１３９４等の双方向デジタルインタフェース端子Ｄｉｆを備えているＭＤレコーダ・プレーヤ（以下、ＩＥＥＥ１３９４ＭＤと記す。）がストレージデバイス１３Ｃとして用いられた場合には、ダウンロードされた４倍速ＡＴＲＡＣデータは、そのままＩＲＤ１２から、ＩＥＥＥ１３９４バス１６Ｃを介してストレージデバイス１３Ｃに送られる。また、ストレージデバイス１３ＣとしてのＩＥＥＥ１３９４ＭＤは、ＩＲＤ１２で選択された楽曲のオーディオデータと共に、そのジャケットデータや歌詞データ等のテキストデータを蓄積することができる。なお、以下の説明では、ストレージデバイス１３ＣとしてのＩＥＥＥ１３９４ＭＤにも、符号１３Ｃを付す。
【００７０】
このように、ストレージデバイス１３として使用される機器としては、アナログ入力のもの、ＰＣＭオーディオデータを入力するもの、ＡＴＲＡＣのデータを入力するのものの３系統のものがあり得る。
【００７１】
図７は、ＩＲＤ１２の構成の一例を示したものである。このＩＲＤ１２は、外部端子あるいはインタフェースとして、入力端子Ｔ１、アナログビデオ出力端子Ｔ２、アナログオーディオ出力端子Ｔ３，Ｔ４、光デジタル出力インタフェース５９、ＩＥＥＥ１３９４インタフェース６０、マンマシンインタフェース６１、ＩＣカードスロット６２およびモデム６３を備えている。また、ＩＲＤ１２は、制御用ＣＰＵ（中央処理装置）５８を備えている。
【００７２】
入力端子Ｔ１は、ＬＮＢ２５で所定の周波数に変換された受信信号が入力される端子である。アナログビデオ出力端子Ｔ２は、アナログビデオ信号をテレビジョン受像機１４に供給する端子である。アナログオーディオ出力端子Ｔ３は、アナログオーディオ信号をテレビジョン受像機１４に供給する端子である。アナログオーディオ出力端子Ｔ４は、アナログオーディオ信号をアナログ入力のストレージデバイスに供給する端子である。光デジタル出力インタフェース５９は、ＩＥＣ９５８に準拠したものであって、ＰＣＭオーディオデータを光ファイバケーブル１６Ｂに送出する。ＩＥＥＥ１３９４インタフェース６０は、ビデオデータ、オーディオデータおよび各種コマンド等をＩＥＥＥ１３９４バス１６Ｃへ送出する。マンマシンインタフェース６１は、ユーザによるリモートコマンダ（以下、リモコンという）６４からの入力を制御用ＣＰＵ５８に送る。ＩＣカードスロット６２にはＩＣカード６５が挿入される。モデム６３は電話回線４を介して課金サーバ５と接続される。
【００７３】
ＩＲＤ１２は、更に、入力端子Ｔ１に接続されたチューナー５１と、このチューナー５１の後段に設けられたデスクランブラ５２と、このデスクランブラ５２の後段に設けられたトランスポートＩＣ（集積回路）５３と、このトランスポートＩＣ５３の後段に設けられたＭＰＥＧオーディオデコーダ５４およびＭＰＥＧビデオデコーダ５５と、ＭＰＥＧオーディオデコーダ５４の後段に設けられたデジタル−アナログコンバータ５６と、このデジタル−アナログコンバータ５６の後段に設けられた１入力２出力のスイッチＳＷ１と、ＭＰＥＧビデオデコーダ５５の後段に設けられたＮＴＳＣ変換ブロック５７とを備えている。
【００７４】
ＮＴＳＣ変換ブロック５７の出力端は、アナログビデオ出力端子Ｔ２に接続されている。スイッチＳＷ１の各出力端は、それぞれ、アナログオーディオ出力端子Ｔ３，Ｔ４に接続されている。また、ＭＰＥＧオーディオデコーダ５４は、光デジタル出力インタフェース５９に接続されている。また、トランスポートＩＣ５３は、ＩＥＥＥ１３９４インタフェース６０に接続されている。
【００７５】
チューナー５１は、制御用ＣＰＵ５８からの設定信号に基づいて、端子Ｔ１から供給される受信信号の中から所定受信周波数の信号を選択し、更に復調と誤り訂正処理を施してＭＰＥＧトランスポートストリームを出力する。デスクランブラ５２は、チューナー５１からＭＰＥＧトランスポートストリームを受け、ＩＣカード６５に記憶されているデスクランブル用の鍵データをＩＣカードスロット６２と制御用ＣＰＵ５８を介して受け取り、この鍵データを用いてデスクランブルを行う。トランスポートＩＣ５３は、ユーザがリモコン６４から入力した指令をマンマシンインタフェース６１と制御用ＣＰＵ５８とを介して受け取り、トランスポートストリームの中から所望のテレビ番組のＭＰＥＧビデオデータとＭＰＥＧオーディオデータを抽出する。ＭＰＥＧビデオデコーダ５５は、トランスポートＩＣ５３から供給されるＭＰＥＧビデオデータをデータ圧縮前のビデオデータに変換する。ＭＰＥＧオーディオデコーダ５４は、トランスポートＩＣ５３から供給されるＭＰＥＧオーディオデータをデータ圧縮前のオーディオデータ（ＰＣＭオーディオデータ）に変換する。デジタル−アナログコンバータ５６は、ＭＰＥＧオーディオデコーダ５４Ａから供給されるオーディオデータをアナログオーディオ信号に変換する。スイッチＳＷ１は、デジタル−アナログコンバータ５６から供給されるアナログオーディオ信号をアナログオーディオ出力端子Ｔ３，Ｔ４に選択的に供給する。
【００７６】
制御用ＣＰＵ５８は、ＩＲＤ１２全体の処理を行う。また、制御用ＣＰＵ５８は、制御用ＣＰＵ５８に対してユーザがリモコン６４を用いて入力した指令をマンマシンインタフェース６１を介して受け取る。制御用ＣＰＵ５８には、モデム６３が接続されている。課金に必要な情報は、ＩＣカード６５に記憶される。このＩＣカード６５の情報は、モデム６３を用いて電話回線４を介して、課金サーバ５（図１）に送られる。
【００７７】
また、トランスポートＩＣ５３は、トランスポートストリームの中から、図４に示した音声付加情報とＧＵＩデータを取り込み、制御用ＣＰＵ５８に送る。制御用ＣＰＵ５８は、これらのデータに基づいて、リストページの画面や各楽曲の情報ページの画面、あるいはＥＰＧ用の画面データ等を形成する。このようにして形成された画面データは、ＭＰＥＧビデオデコーダ５５内のバッファメモリの所定のエリアに書き込まれる。これにより、図２に示したように、画面上の指定のエリアに、放送されてくる楽曲のリストページや各楽曲の情報ページの画面、あるいはＥＰＧ用の画面を表示させることができる。
【００７８】
次に、図７に示したＩＲＤ１２の動作について説明する。
【００７９】
図７に示したＩＲＤ１２において、これまで説明した音楽コンテンツ配信システムのチャンネルをユーザが選択すると、テレビジョン受像機１４の画面上に図２に示したようなＧＵＩ画面が表示される。
【００８０】
このとき、端子Ｔ１に入力された受信信号は、チューナー５１に供給される。チューナー５１では、制御用ＣＰＵ５８からの設定信号に基づいて受信信号の中から所定受信周波数の信号が選択され、更に復調と誤り訂正処理が施されてＭＰＥＧトランスポートストリームが出力される。
【００８１】
チューナー５１の出力はデスクランブラ５２に供給される。デスクランブラ５２では、ＩＣカード６５に記憶されているデスクランブル用の鍵データがＩＣカードスロット６２と制御用ＣＰＵ５８を介して入力され、この鍵データを用いてＭＰＥＧトランスポートストリームのデスクランブルが行われる。デスクランブルされたＭＰＥＧトランスポートストリームはトランスポートＩＣ５３に送られる。
【００８２】
トランスポートＩＣ５３には、ユーザがリモコン６４から入力した指令が、マンマシンインタフェース６１と制御用ＣＰＵ５８とを介して入力される。トランスポートＩＣ５３は、その指令に従って、トランスポートストリームの中から所望のテレビ番組のＭＰＥＧビデオデータとＭＰＥＧオーディオデータを抽出し、それぞれＭＰＥＧビデオデコーダ５５とＭＰＥＧオーディオデコーダ５４に送る。
【００８３】
ＭＰＥＧビデオデコーダ５５に送られたＭＰＥＧビデオデータは、ここでデータ圧縮前のビデオデータに変換され、次にＮＴＳＣ変換ブロック５７でコンポジットビデオ信号に変換された後、アナログビデオ出力端子Ｔ２からテレビジョン受像機１４へ出力される。ＭＰＥＧオーディオデコーダ５４に送られたＭＰＥＧオーディオデータは、ここでデータ圧縮前のオーディオデータに変換され、次にデジタル−アナログコンバータ５６でアナログオーディオ信号に変換された後、アナログオーディオ出力端子Ｔ３からテレビジョン受像機１４へ出力される。
【００８４】
図２に示したＧＵＩ画面上の楽曲のリスト２１Ｂにより楽曲が選択され、その楽曲のオーディオデータを試聴する場合には、トランスポートＩＣ５３においてＭＰＥＧオーディオデータが抽出され、このＭＰＥＧＭＰＥＧオーディオデータがオーディオデコーダ５４でデコードされ、デジタル−アナログコンバータ５６でデジタル−アナログ変換された後、スイッチＳＷ１を通ってアナログオーディオ出力端子Ｔ３からテレビジョン受像機１４へ出力される。
【００８５】
また、図２に示したＧＵＩ画面上でダウンロードボタン２８が押され、オーディオデータをダウンロードする際には、トランスポートＩＣ５３においてオーディオデータが抽出され、アナログオーディオ出力端子Ｔ４、光デジタル出力インタフェース５９、またはＩＥＥＥ１３９４インタフェース６０のいずれか一つからオーディオデータが出力される。
【００８６】
ここで、図６（ｄ）に示したように、ＩＥＥＥ１３９４インタフェース６０（デジタルインタフェース端子Ｄｉｆ）に、ＩＥＥＥ１３９４ＭＤ１３Ｃが接続されている場合には、トランスポートＩＣ５３において４倍速ＡＴＲＡＣデータが抽出され、ＩＥＥＥ１３９４インタフェース６０を介して、ＩＥＥＥ１３９４ＭＤ１３Ｃに送出される。また、このとき、トランスポートＩＣ５３においてＪＰＥＧ方式で圧縮されているジャケットデータが抽出され、ＩＥＥＥ１３９４インタフェース６０を介してＩＥＥＥ１３９４ＭＤ１３Ｃに送出される。更に、このとき、トランスポートＩＣ５３において歌詞やアーティストのプロフィール等のテキストデータが抽出され、ＩＥＥＥ１３９４インタフェース６０を介して、ＩＥＥＥ１３９４ＭＤ１３Ｃに送出される。
【００８７】
光デジタル出力インタフェース５９に、ＩＥＥＥ１３９４インタフェースを備えていないストレージデバイス１３Ｂ（図６（ｃ））が接続されている場合には、トランスポートＩＣ５３においてＭＰＥＧオーディオデータが抽出され、ＭＰＥＧオーディオデコーダ５４でデコードされた後、光デジタル出力インタフェース５９（デジタル出力端子Ｄｏｕｔ）を介してＰＣＭオーディオデータがストレージデバイス１３Ｂに送出される。
【００８８】
アナログオーディオ出力端子Ｔ４に、アナログオーディオのみ入力できるストレージデバイス１３Ａ（図６（ａ））が接続されている場合には、トランスポートＩＣ５３においてＭＰＥＧオーディオデータが抽出され、ＭＰＥＧオーディオデコーダ５４でデコードされ、更にデジタル−アナログコンバータ５６でデジタル−アナログ変換された後、スイッチＳＷ１を通ってアナログオーディオ出力端子Ｔ４（オーディオ出力端子Ａｏｕｔ）から、ストレージデバイス１３Ａに送出される。
【００８９】
なお、本実施の形態では、ＩＲＤ１２は、楽曲データに特定のデータとしてのＡＴＲＡＣデータが含まれ、このＡＴＲＡＣデータを他の機器に転送する場合には、転送先の機器の正当性を確認するための認証処理を行い、正当性が確認された場合のみ、転送先の機器に対してデータを送出するようにしている。なお、ＡＴＲＡＣデータの転送先としての正当性を有する機器は、予め、ＡＴＲＡＣデータの転送が許可されている機器であり、本実施の形態では、ＩＥＥＥ１３９４ＭＤ１３Ｃが該当する。
【００９０】
図８は、ＩＥＥＥ１３９４ＭＤ１３Ｃの構成の一例を示すブロック図である。このＩＥＥＥ１３９４ＭＤ１３Ｃは、ＩＥＥＥ１３９４インタフェース７１と、光デジタル入力インタフェース７２と、アナログオーディオ入力端子Ｔ１２と、アナログオーディオ出力端子Ｔ１３とを備えている。ＩＥＥＥ１３９４インタフェース７１は、記録再生部７５と直接的に接続されていると共に、ＡＴＲＡＣエンコーダ７４を介して記録再生部７５に接続されている。光デジタル入力インタフェース７２は、ＡＴＲＡＣエンコーダ７４を介して記録再生部７５に接続されている。アナログオーディオ入力端子Ｔ１２は、アナログ−デジタルコンバータ７３を介してＡＴＲＡＣエンコーダ７４に接続されている。アナログオーディオ出力端子Ｔ１３は、デジタル−アナログコンバータ７８とＡＴＲＡＣデコーダ７７を介して記録再生部７５に接続されている。記録再生部７５には、ディスク７６がセットされ、記録再生部７５は、このディスク７６に対して記録再生を行うようになっている。なお、ここでは図示を省略したが、このＩＥＥＥ１３９４ＭＤ１３Ｃには、全体の制御等を行う制御用ＣＰＵと、マンマシンインタフェースが設けられている。
【００９１】
次に、このＩＥＥＥ１３９４ＭＤ１３Ｃの記録時の動作を説明する。
【００９２】
ＩＥＥＥ１３９４インタフェース７１と図７に示したＩＲＤ１２のＩＥＥＥ１３９４インタフェース６０とが接続されている場合には、ＩＥＥＥ１３９４インタフェース６０から送出された楽曲のオーディオデータ、歌詞等のテキストデータや、ジャケット等の静止画データは、ＩＥＥＥ１３９４インタフェース７１から入力され、そのまま記録再生部７５によってディスク７６に記録される。後で説明するように、このとき、ディスク７６上には拡張ＭＤフォーマットにより、各データが記録される。
【００９３】
光デジタル入力インタフェース７２に外部からＰＣＭオーディオデータが入力される場合には、入力されたＰＣＭオーディオデータはＡＴＲＡＣエンコーダ７４でエンコードされた後、記録再生部７５によってディスク７６に記録される。
【００９４】
アナログオーディオ入力端子Ｔ１２に外部からアナログオーディオ信号が入力される場合には、入力されたアナログオーディオ信号はアナログ−デジタルコンバータ７３でアナログ−デジタル変換され、ＡＴＲＡＣエンコーダ７４でエンコードされた後、記録再生部７５によってディスク７６に記録される。
【００９５】
つまり、このＩＥＥＥ１３９４ＭＤ１３Ｃでは、ＩＲＤ１２との間がＩＥＥＥ１３９４バスで接続されている場合のみ、楽曲のオーディオデータと共にその歌詞データやジャケットの静止画データ等が記録され、光デジタルインタフェースでの接続またはアナログオーディオ入力の場合には、オーディオデータのみが記録される。
【００９６】
また、ＩＥＥＥ１３９４ＭＤ１３Ｃでは、再生時には、ＩＥＥＥ１３９４インタフェース７１またはアナログオーディオ出力端子Ｔ１３から再生信号を出力することができる。そして、ディスク７６に楽曲のオーディオデータと共にその歌詞データやジャケットデータ等が記録されている場合において、ＩＥＥＥ１３９４インタフェース７１から再生信号を出力するときには、楽曲データをＩＥＥＥ１３９４対応のオーディオ機器（アンプ等）に出力することが可能であると共に、歌詞データやジャケットデータ等をＩＥＥＥ１３９４対応のディスプレイで表示したり、ＩＥＥＥ１３９４対応のプリンタで印刷したりすることが可能である。
【００９７】
このように、本発明が適用されるＩＥＥＥ１３９４ＭＤ１３Ｃでは、楽曲のオーディオデータと共にその歌詞データやジャケットデータ等の記録再生が可能である。
【００９８】
図９は、楽曲のオーディオデータと共にその歌詞データやジャケットデータ等の記録再生を可能とする拡張ＭＤフォーマットを示したものである。この図に示したように、楽曲のオーディオデータは、ＡＴＲＡＣ方式でメインデータ（Main Data ）エリアに記録される。これは現行のＭＤフォーマットと同じである。そして、拡張ＭＤフォーマットでは、更に２．８Ｍｂｙｔｅの補助データ（Aux Data）エリアに、前述したジャケットデータや歌詞データ等を記録する。このような拡張ＭＤフォーマットを使用することにより、楽曲のオーディオデータと共にジャケットデータや歌詞データ等を記録再生することが可能となる。また、現行のＭＤフォーマットとの互換性を維持することができる。
【００９９】
次に、図１０を参照して本実施の形態において伝送される各種のデータの構造について説明する。
【０１００】
本実施の形態においては、地上局１から受信設備３へ、各種のデータは、ＭＰＥＧトランスポートストリームにおけるトランスポートパケットによって伝送される。図１０（ｂ）は、このトランスポートパケットのデータ構造を示したものである。トランスポートパケットは、制御情報が格納されるトランスポートヘッダ１２３と、伝送すべき情報が格納されるペイロード１２４とを有している。トランスポートパケットにおけるペイロード１２４は、パケッタイズド・エレメンタリストリーム（以下、ＰＥＳと記す。）を、所定データ長毎に区切ったものになっている。図１０（ａ）は、このＰＥＳにおけるパケットであるＰＥＳパケットのデータ構造を示したものである。ＰＥＳパケットは、制御情報が格納されるＰＥＳヘッダ１２１と、データ部１２２とを有している。
【０１０１】
なお、図１０（ｃ）に示したように、トランスポートパケットのトランスポートヘッダ１２３には、パケットの種類を表すパケット識別情報（Packet Identification ；以下、ＰＩＤと記す。）が記述されている。
【０１０２】
次に、本実施の形態において、ダウンロード可能な楽曲に付随する歌詞等の付随情報について説明する。
【０１０３】
本実施の形態において、付随情報としては、楽曲の歌詞データ、楽曲の説明データ、アーティストの説明データ、楽曲に関連する画像（その楽曲が収録されているアルバムのジャケット写真やアーティストの写真等の画像、アニメーション、プロモーション画像等）のデータ等がある。このうち、楽曲の歌詞データ、楽曲の説明データ、アーティストの説明データは、テキストデータとされ、楽曲に関連する画像のデータは、ＪＰＥＧ方式による圧縮画像データとされる。これらの付随情報は、ＧＵＩデータの一部としての付随データによって、地上局１から受信設備３へ伝送される。
【０１０４】
なお、付随情報は、例えば、各楽曲およびデータの種類毎に１つのファイルにまとめられる。本実施の形態において、このファイルを、楽曲付随情報ファイルと呼ぶ。
【０１０５】
次に、選択された楽曲と、音声付加情報と、歌詞データ等の付随情報との対応をとるための仕組みについて説明する。画面上のＧＵＩの操作により楽曲の選択等を可能とするための情報は、ＧＵＩデータによって与えられる。このＧＵＩデータには、楽曲の歌詞データ、楽曲の説明データ、アーティストの説明データ、楽曲に関連する画像データ等の複数の種類のデータが含まれる。これらの複数の種類のデータは、それぞれ各楽曲毎のデータを含んでいる。各楽曲毎のデータには、対応する楽曲の識別情報であるサブプログラムタグ（Sub Program Tag ；以下、ＳＰＴと記す。）がそれぞれ付加されており、このＳＰＴによって各楽曲毎のデータが識別される。従って、ＩＲＤ１２において、画面上のＧＵＩの操作により、ある楽曲を選択すると、その楽曲に対応したＳＰＴが得られる。そして、ＩＲＤ１２は、このＳＰＴに基づいて、受信したデータの中から、選択された楽曲のデータと音声付加情報と付随情報とを抽出する。
【０１０６】
まず、ＳＰＴに基づいて、選択された楽曲のデータと音声付加情報を抽出する方法について説明する。トランスポートストリームには、複数のチャンネル（プログラム）から目的のチャンネル（プログラム）を取り出すことを可能とするために、プログラム関係テーブル（Program Association Table ；以下ＰＡＴと記す。）と、プログラムマップテーブル（Program Map Table ；以下ＰＭＴと記す。）が多重化される。
【０１０７】
ＰＡＴには、各チャンネル毎のＰＭＴに対応したＰＩＤが記述されている。なお、ＰＡＴを含むトランスポートパケットのＰＩＤは、“０”となっている。ＰＭＴには、そのチャンネルにおけるビデオデータ、オーディオデータ等のデータの種類毎のＰＩＤが記述されている。
【０１０８】
従って、ＩＲＤ１２は、ＰＩＤが“０”のトランスポートパケットを抽出することによって、ＰＡＴを得ることができる。ＩＲＤ１２は、更に、ＰＡＴに記述されている各チャンネル毎のＰＭＴに対応したＰＩＤのトランスポートパケットを抽出することによって、各チャンネル毎のＰＭＴを得ることができる。ＩＲＤ１２は、この各チャンネル毎のＰＭＴによって、各チャンネルにおけるデータの種類毎のＰＩＤを知ることができる。このようにして、ＩＲＤ１２は、選択されたチャンネルにおけるデータの種類毎のＰＩＤを知り、それらのＰＩＤのトランスポートパケットを抽出することによって、選択されたチャンネルにおけるビデオデータやオーディオデータを抽出することが可能となる。
【０１０９】
ここで、これまで説明した楽曲データのダウンロードの可能な音楽放送のチャンネルを、ＥＭＤ（Electric Music Download)のチャンネルと呼ぶことにする。本実施の形態では、このＥＭＤのチャンネルに関しては、ＰＭＴの他に、サブ（Sub ）ＰＭＴ（以下、ＳＭＴと記す。）を定義している。このＳＭＴは、ダウンロード可能な各楽曲毎に用意される。
【０１１０】
図１１は、ＳＭＴの詳細なデータ構造を示す説明図である。ＳＭＴには、楽曲毎の識別情報であるＳＰＴと、その楽曲におけるＭＰＥＧオーディオデータ、ＡＴＲＡＣデータ、音声付加データ毎のＰＩＤが記述されている。また、ＡＴＲＡＣデータのＰＩＤの前には、認証を必要とする特定のデータが含まれることを判別するために用いられる判別データとしてのビット（以下、ＢＩＴ１という。）が付加されている。ＢＩＴ１は、例えば、そのＰＩＤで示されるＡＴＲＡＣデータが認証を必要とする特定のデータである場合に、フラグが立てられる（ＢＩＴ１＝“１”）。
【０１１１】
また、本実施の形態では、ＥＭＤのチャンネルのＰＭＴには、ビデオデータ、オーディオデータ、ＧＵＩデータ等のデータの種類毎のＰＩＤの他に、ダウンロード可能な各楽曲毎のＳＭＴのＰＩＤが記述されている。本実施の形態において、このダウンロード可能な各楽曲毎のＳＭＴのＰＩＤを記述するものを、リンケージディスクリプタ（Linkage descriptor）と呼ぶ。
【０１１２】
なお、上述のＰＡＴ、ＰＭＴおよびＳＭＴ等のデータは、地上局１における図示しない制御手段において生成される。
【０１１３】
図１２は、上述のＰＡＴ、ＰＭＴおよびＳＭＴの関係を、概念的に表したものである。この図に示したように、ＰＡＴには、各チャンネル毎のＰＭＴに対応したＰＩＤが記述されている。図１２に示した例では、ＰＡＴに、４つのチャンネルのＰＭＴ、すなわちＰＭＴ１〜ＰＭＴ４のＰＩＤが記述されているものとする。ここで、ＰＭＴ４は、ＥＭＤのチャンネルのＰＭＴであるものとする。このＰＭＴ４には、ダウンロード可能な各楽曲毎のＳＭＴのＰＩＤを記述する複数のリンケージディスクリプタが含まれている。図１２に示した例では、ダウンロード可能な楽曲が１０曲あり、ＳＭＴも、ＳＭＴ１〜ＳＭＴ１０の１０個あるものとする。各楽曲毎のリンケージディスクリプタおよびＳＭＴには、それぞれＳＰＴが付加されており、このＳＰＴによって、各楽曲毎のリンケージディスクリプタおよびＳＭＴが識別される。
【０１１４】
このようなＰＡＴ、ＰＭＴおよびＳＭＴの仕組みにより、ＩＲＤ１２は、ＥＭＤのチャンネルが選択されているときにおいて、ダウンロード可能な複数の楽曲の中から任意の楽曲が選択されたときには、選択された楽曲のＳＰＴに基づいて、ＥＭＤのチャンネルのＰＭＴの中から、選択された楽曲のＳＭＴのＰＩＤを知り、更に、そのＰＩＤに対応するＳＭＴより、その楽曲におけるＭＰＥＧオーディオデータ、ＡＴＲＡＣデータ、音声付加データ毎のＰＩＤを知り、それらのＰＩＤのトランスポートパケットを抽出することによって、選択されたチャンネルにおけるＭＰＥＧオーディオデータ、ＡＴＲＡＣデータ、音声付加データを抽出することが可能となる。
【０１１５】
また、ＩＲＤ１２は、ＥＭＤのチャンネルが選択されているときにおいて、ダウンロード可能な複数の楽曲の中から任意の楽曲が選択されたときには、選択された楽曲のＳＰＴに基づいて、ＧＵＩデータの中から、選択された楽曲の付随情報を抽出する。
【０１１６】
このようにして、ＳＰＴに基づいて、選択された楽曲と、音声付加情報と、歌詞データ等の付随情報とが対応づけられる。
【０１１７】
次に、図１３および図１４の流れ図を参照して、本実施の形態において、楽曲データをダウンロードする動作について説明する。
【０１１８】
図１３は、ＥＭＤチャンネルを選択した場合に図２に示したようなＧＵＩ画面が表示されるまでのＩＲＤ１２の動作を示す流れ図である。この動作では、ＩＲＤ１２においてＥＭＤチャンネルを選択すると（ステップＳ１０１）、ＩＲＤ１２は、ＥＭＤチャンネルのＰＭＴを取得する（ステップＳ１０２）。次に、ＩＲＤ１２は、このＥＭＤチャンネルのＰＭＴより、図１におけるテレビ番組素材サーバ６から供給される音楽番組のビデオデータである主ビデオデータのＰＩＤと、その音楽番組のオーディオデータである主オーディオデータのＰＩＤとを取得する（ステップＳ１０３）。次に、ＩＲＤ１２は、ＥＭＤチャンネルのＰＭＴより、ＧＵＩデータのＰＩＤを取得する（ステップＳ１０４）。次に、ＩＲＤ１２は、ＧＵＩデータのＰＩＤを持つトランスポートパケットを抽出することによって、トランスポートストリームより、ＧＵＩデータを抽出し、このＧＵＩデータに基づいて、図２に示したようなＧＵＩ画面を表示すると共に、主ビデオデータのＰＩＤと主オーディオデータのＰＩＤに基づいて主ビデオデータと主オーディオデータとを抽出して音楽番組を再生して（ステップＳ１０５）、ＧＵＩ画面の表示までの動作を終了する。
【０１１９】
図１４は、上述のようにして表示されたＧＵＩ画面を用いて楽曲のリスト２１Ｂの中から任意の楽曲を選択した場合におけるＩＲＤ１２の動作を示す流れ図である。この動作では、ＩＲＤ１２は、まず、選択された楽曲のＳＰＴを、ＧＵＩデータより取得する（ステップＳ２０１）。次に、ＩＲＤ１２は、ＥＭＤチャンネルのＰＭＴより、ＳＰＴに対応するリンケージディスクリプタを探し、選択された楽曲のＳＭＴのＰＩＤを取得する（ステップＳ２０２）。次に、ＩＲＤ１２は、選択された楽曲のＳＭＴのＰＩＤを持つトランスポートパケットを抽出することによって、選択された楽曲のＳＭＴを取得を取得する（ステップＳ２０３）。
【０１２０】
次に、ＩＲＤ１２は、楽曲データに認証を必要とするＡＴＲＡＣデータが含まれているか否かを判別するために、ＳＭＴに記述されているＢＩＴ１（図１１）のフラグが立っているか否かを判断する（ステップＳ２０４）。ここで、ＩＲＤ１２は、ＢＩＴ１のフラグが立っていない場合（Ｎ）には、ＭＰＥＧオーディオデータのＰＩＤをＳＭＴから取得し（ステップＳ２０９）、このＰＩＤに基づいてＭＰＥＧオーディオデータを抽出し、ＭＰＥＧオーディオデータのデコードを行う（ステップＳ２１０）。
【０１２１】
また、ＢＩＴ１のフラグが立っていた場合（Ｙ）には、ＩＲＤ１２は、ＡＴＲＡＣデータの転送先の機器（通常は、ＩＥＥＥ１３９４ＭＤ１３Ｃ）との間で認証処理を行い、転送先の機器がダウンロードを行ってもいい正当な機器であるか否かを判断する（ステップＳ２０５）。ここで、正当な機器であると認証されなかった場合（Ｎ）には、ステップＳ２０９の処理に移行する。また、正当な機器であると認証された場合（Ｙ）には、ＩＲＤ１２は、更に、ユーザによってＡＴＲＡＣデータのダウンロードを行うことを指示する選択がなされたか否かを判断する（ステップＳ２０６）。
【０１２２】
ＩＲＤ１２は、ＡＴＲＡＣデータのダウンロードを指示する選択がなされなかった場合（Ｎ）には、ステップＳ２０９の処理に移行する。また、ＡＴＲＡＣデータのダウンロードを指示する選択がなされた場合（Ｙ）には、ＡＴＲＡＣデータのＰＩＤをＳＭＴから取得し（ステップＳ２０７）、このＰＩＤに基づいてＡＴＲＡＣデータを抽出し、ＡＴＲＡＣデータのダウンロードを開始する（ステップＳ２０８）。
【０１２３】
次に、本実施の形態において、ＩＲＤ１２とＡＴＲＡＣデータの転送先の機器との間で行われる認証処理について説明する。図１５は、認証処理の一例を示す説明図である。本実施の形態における認証のやり方としては、例えば、秘密鍵暗号化方式を利用することができる。
【０１２４】
ＡＴＲＡＣデータのダウンロードでは、事実上音質劣化がほとんど生じない高品質のデジタル記録が可能であり、データの保護を行うことが特に重要とされるため、本実施の形態においては、ＡＴＲＡＣデータのダウンロードに伴って、例えば、以下のような認証処理が行われる。なお、以下では、転送先の機器を、ストレージデバイス１３として説明する。図１５に示したように、まず、ＩＲＤ１２は、認証を要求するコマンドＳ１をストレージデバイス１３に送信する。ストレージデバイス１３は、認証を要求するコマンドＳ１を受信すると、自身が保有する固有の認証情報としてのコマンドＳ２をＩＲＤ１２に対して返信する。ＩＲＤ１２は、ストレージデバイス１３からのコマンドＳ２に基づいて、ストレージデバイス１３がデータの転送を行っても良い正当な機器であるか否かを判断する。なお、転送先としての正当性を有する機器は、予め、ＡＴＲＡＣデータの転送が許可されている機器であり、本実施の形態では、ＩＥＥＥ１３９４ＭＤ１３Ｃが該当する。ＩＲＤ１２は、認証情報があらかじめ取り決められた正しい情報であることを確認し、ストレージデバイス１３が正当な機器であると判断した場合には、キー情報Ｓ３を送信した後、この送信したキー情報Ｓ３によってＡＴＲＡＣデータ暗号化しデータＤAをストレージデバイス１３に送信する。ストレージデバイス１３は、ＩＲＤ１２からあらかじめ送信されたキー情報Ｓ３に基づいて、暗号化されたデータＤAを解読し、ＡＴＲＡＣデータを記録する。
【０１２５】
なお、この認証については、例えば、特開平８−４６９４８号公報に記載の認証方式の他、一般に使用されている公知の認証方式を用いることが可能であり、その方式は問わない。
【０１２６】
以上説明したように、本実施の形態によれば、楽曲毎の情報が記述されたＳＭＴのデータ構造中に、認証を必要とする特定のデータ（ＡＴＲＡＣデータ）が含まれていることを判別するために用いられる判別データを付加して送信すると共に、受信側において、その判別データに基づいて、特定のデータが含まれていることを判別し、ＩＲＤ１２がデータの転送先の機器に対して認証処理を行ってからダウンロードの処理を行うようにしたので、特定のデータについての不当な転送に対するデータの保護を図ることが可能となる。
【０１２７】
なお、本発明は、上記実施の形態に限定されず種々の変形実施が可能である。例えば、上記実施の形態では、認証を必要とする特定のデータが含まれていることを判別するために用いられる判別データを、ＳＭＴ内に記述されたＡＴＲＡＣデータのＰＩＤの前に付加するようにしたが、この判別データを他のデータ構造中に付加するようにしてもよい。この場合、この判別データは、データ構造中において、楽曲毎のデータであることを示す部位に付加することが望ましい。なお、単にＥＭＤチャンネルを選択した場合に、ＡＴＲＡＣデータのＰＩＤがあるか否かを判断し、ＡＴＲＡＣデータのＰＩＤがある場合に認証を行うようにしてもよい。
【０１２８】
また、例えば、本発明は、地上波放送により配信される楽曲をダウンロードするシステム、ケーブル放送により配信される楽曲をダウンロードするシステム、およびインターネットを介して楽曲をダウンロードするシステムにも適用できる。
【０１３０】
また、本発明のデータ受信装置または本発明のデータ受信方法によれば、複数種類の送信用のデータを受信すると共に、この送信用のデータに、データの転送先の機器の正当性を確認するための認証処理を必要とする特定のデータが含まれている場合に、特定のデータが含まれることを判別するために用いられる判別データを受信し、これらの受信した判別データに基づいて、送信用のデータに特定のデータが含まれているか否かを判別するようにしたので、特定のデータについての不当な転送に対するデータの保護を図ることが可能となるという効果を奏する。
【０１３１】
また、本発明のデータ送受信システムまたは本発明のデータ送受信方法によれば、複数種類の送信用のデータを生成すると共に、この送信用のデータに、送信先においてデータの転送先の機器の正当性を確認するための認証処理を必要とする特定のデータが含まれている場合に、特定のデータが含まれることを判別するために用いられる判別データを生成し、これらの生成されたデータを送信し、送信されたデータを受信し、受信したデータに含まれる判別データに基づいて、送信用のデータに特定のデータが含まれているか否かを判別するようにしたので、特定のデータについての不当な転送に対するデータの保護を図ることが可能となるという効果を奏する。
【図面の簡単な説明】
【図１】本発明が適用されるシステムの全体構成を示すブロック図である。
【図２】図１に示したシステムにおけるテレビジョン受像機に表示される画面の一例を示す説明図である。
【図３】図１に示したシステムにおける地上局の構成の一例を示すブロック図である。
【図４】図１に示したシステムにおいて送信されるデータの一例の構造を示す説明図である。
【図５】図１に示したシステムにおける各種のデータの伝送の方法と再構築の方法を示す説明図である。
【図６】図１に示したシステムにおけるＩＲＤと種々のストレージデバイスとの関係を示す説明図である。
【図７】図１に示したシステムにおけるＩＲＤの構成の一例を示すブロック図である。
【図８】図６におけるＩＥＥＥ１３９４ＭＤの構成の一例を示すブロック図である。
【図９】図６におけるＩＥＥＥ１３９４ＭＤの記録フォーマットを示す図である。
【図１０】図１に示したシステムにおいて伝送される各種のデータの構造について示す説明図である。
【図１１】各楽曲毎の情報が記述されたＳＭＴのデータ構造について示す説明図である。
【図１２】図１に示したシステムにおいて伝送される各種のデータの構造について示す他の説明図である。
【図１３】本発明の一実施の形態において図２に示したようなＧＵＩ画面が表示されるまでのＩＲＤの動作を示す流れ図である。
【図１４】本発明の一実施の形態においてＧＵＩ画面を用いて任意の楽曲を選択した場合におけるＩＲＤの動作を示す流れ図である。
【図１５】本発明の一実施の形態における認証処理の一例を示す説明図である。
【符号の説明】
３…受信設備、１２…ＩＲＤ、１３…ストレージデバイス、１３Ｃ…ＩＥＥＥ１３９４ＭＤ、１４…テレビジョン受像機、６０，７１…ＩＥＥＥ１３９４インタフェース。
【図１】
0003925586.tif 000002
【図２】
0003925586.tif 000003
【図３】
0003925586.tif 000004
【図４】
0003925586.tif 000005
【図５】
0003925586.tif 000006
【図６】
0003925586.tif 000007
【図７】
0003925586.tif 000008
【図８】
0003925586.tif 000009
【図９】
0003925586.tif 000010
【図１０】
0003925586.tif 000011
【図１１】
0003925586.tif 000012
【図１２】
0003925586.tif 000013
【図１３】
0003925586.tif 000014
【図１４】
0003925586.tif 000015
【図１５】
0003925586.tif 000016